(57)【要約】【課題】繰り返し開閉できるが、容易には再開され得ないように閉じられるパッケージを提供する。【解決手段】再閉可能開封表示パッケージは、パッケージの第１の封緘具（４６）を開閉することにより繰り返し開閉される。パッケージを閉じ、更に開けた証拠を表示したいときは、容易には開けられ得ない第２の封緘具（５０）を閉じる。再閉可能開封表示パッケージは、スライダ部材（４０）が付されたジッパー封緘具（４２）を含む封緘組み立て部品（３８）を有する。【選択図】図２
2009513309.tif 000002
【特許請求の範囲】
【請求項１】
柔軟パッケージとともに用いる封緘組み立て部品であって、
前記封緘組み立て部品は、ジッパー封緘具とスライダ部材を有し、
前記ジッパー封緘具は、
選択的に咬合するように組み立てられ配置されている第１及び第２のジッパープロフィールを有し、
前記第１及び第２のジッパープロフィールにより形成される第１及び第２の封緘具を含み、
前記スライダ部材は、
前記ジッパー封緘具の側面に沿ってスライドし、
第１の軸位置から第２の軸位置に直交的に移動可能であり、
前記第１の封緘具は、
前記スライダ部材が前記第１の軸位置にあり、かつ前記ジッパー封緘具の側面に沿って第１の向きに向かって移動されるときに噛み合うように組み立てられ配置されており、
前記第２の封緘具は、
前記スライダ部材が前記第２の軸位置にあり、かつ前記ジッパー封緘具の側面に沿って第１の向きに向かって移動されるときに噛み合うように組み立てられ配置されており、
前記スライダ部材が前記第１の軸位置にあるときには噛み合わないように組み立てられ配置されている、
封緘組み立て部品。
【請求項２】
前記スライダ部材は、
前記ジッパー封緘具の上部に沿ってスライドする天井壁と、
前記ジッパー封緘具の側面に沿ってスライドする前記天井壁から延設される第１の側壁と、
前記ジッパー封緘具の側面に沿ってスライドする前記天井壁から延設される第２の側壁と、
を含み、
前記天井壁、第１の側壁及び第２の側壁は、
前記ジッパー封緘具を係入する空洞を画定する、
請求項１に記載の封緘組み立て部品。
【請求項３】
前記スライダ部材は、
前記天井壁から延設されるスプリッタを更に含み、
前記スプリッタは、
前記スライダ部材が前記ジッパー封緘具の側面に沿って前記第１の向きとは反対の第２の向きに向かって移動されるとき、前記第１の封緘具を分離するように組み立てられ配置されている、
請求項２に記載の封緘組み立て部品。
【請求項４】
前記スプリッタ及び前記第２の封緘具は、
前記スライダ部材が前記第１の軸位置にあり、かつ前記第２の向きに向かって前記ジッパー封緘具に沿って移動されるとき、前記第２の封緘具は前記スプリッタによって分離されないように組み立てられ配置されている、
請求項３に記載の封緘組み立て部品。
【請求項５】
前記第１の側壁は、足部付きの終端を形成し、
前記第２の側壁は、足部付きの終端を形成し、
前記ジッパー封緘具は、
前記第１のジッパープロフィールに第１の外側溝部を形成し、
前記第２のジッパープロフィールに第２の外側溝部を形成し、
前記第１及び第２の外側溝部は、
前記第１の封緘具と前記第２の封緘具との間に位置し、
前記スライダ部材の前記第１の軸位置は、
前記第１の溝部に収容される前記第１の側壁の足部と、
前記第２の溝部に収容される前記第２の側壁の足部と、
を含む、
請求項２に記載の封緘組み立て部品。
【請求項６】
前記ジッパー封緘具は、
前記第１のジッパープロフィール中に第１の外側に向いた突起を含み、
前記第２のジッパープロフィール中に第２の外側に向いた突起を含み、
前記第２の封緘具は、
第１及び第２の外側突起と第１の封緘具との間に位置し、
前記第２の軸位置は、
前記第１の側壁の足部と前記第２の封緘具との間に位置する前記第１の突起と、
前記第２の側壁の足部と前記第２の封緘具との間に位置する前記第２の突起と、
を含む、
請求項５に記載の封緘組み立て部品。
【請求項７】
前記第２の封緘具は、
噛み合わされた後分離されることができない、
請求項１に記載の封緘組み立て部品。
【請求項８】
前記第２の封緘具は、
前記第１のジッパープロフィールと、前記第２のジッパープロフィールを含み、
更に、噛み合い位置において、
前記第１の腕部と前記第１の封緘具の間に位置し、１対の鉤が前記頭部及び前記第１の腕部の指部と噛み合う第１の脚部と、
前記第２の腕部と前記第１の封緘具の間に位置し、１対の鉤が前記頭部及び前記第２の腕部の指部と噛み合う第２の脚部と
を含み、
前記第１のジッパープロフィールは、
先端に首部より幅の広い頭部が形成された首部を有する第１の封緘部材と、
先端に指部が形成された第１の腕部と、
先端に指部が形成された第２の腕部と、
を有し、
前記第２のジッパープロフィールは
先端に１対の鉤が形成された第１の脚部と、
先端に１対の鉤が形成された第２の脚部と、
を有し、
前記第１の封緘部材は、
前記第１及び第２の腕部の間に位置している、
請求項７に記載の封緘組み立て部品。
【請求項９】
前記第１の封緘具は、前記第１のジッパープロフィール上に形成された第１の鉤形プロフィール部材を含み、
前記第１の封緘具は、前記第２のジッパープロフィール上に形成された第２の鉤形プロフィール部材を含み、
前記第１及び第２の鉤形プロフィール部材は、
選択的に噛み合い分離するように組み立てられ配置されている、
請求項７に記載の封緘組み立て部品。
【請求項１０】
前記第１の封緘具は、
前記第２のジッパープロフィール上に形成された前記第１の鉤形プロフィール部材に隣接して、第１の封緘ポストが更に形成されており、
前記第１の鉤形プロフィール部材が前記第１の封緘ポストと前記第２の鉤形プロフィール部材との間の隙間に係入されて、前記第１及び第２の鉤形プロフィール部材が噛み合う、
請求項９に記載の封緘組み立て部品。
【請求項１１】
請求項１に記載の封緘組み立て部品を有する柔軟パッケージであって、
前記柔軟パッケージは、
底部、内部空間、及び前記内部空間へのアクセスを提供する開口部を形成する包囲壁と、
前記開口部に位置する封緘組み立て部品と、
を有し、
前記封緘組み立て部品は、
選択的に咬合するように組み立てられ配置された第１及び第２のジッパープロフィールを有し、前記第１及び第２のジッパープロフィールによって形成される第１及び第２の封緘具を含むジッパー封緘具と、
前記ジッパー封緘具の側面に沿ってスライドし、第１の軸位置から第２の軸位置に直交的に移動できるスライダ部材と、
を含み、
前記第１の封緘具は、
前記スライダ部材が前記第１の軸位置にあり、かつ、第１の向きに向かって前記ジッパー封緘具の側面に沿って移動するときに噛み合うように組み立てられ配置されており、
前記第２の封緘具は、
前記スライダ部材が前記第２の軸位置にあり、かつ、前記第１の向きに向かって前記ジッパー封緘具の側面に沿って移動するときに噛み合うように、前記スライダ部材が前記第１の軸位置にあるときには噛み合わないように組み立てられ配置されている、
柔軟パッケージ。
【請求項１２】
請求項１１に記載のパッケージの使用方法であって、
前記パッケージは、
内部空間を画定する包囲壁、開口部、及び前記開口部に位置する封緘組み立て部品を含み、
前記封緘組み立て部品は、
ジッパー封緘具、及び前記ジッパー封緘具上にて操作可能なスライダ部材を含み、
前記方法は、
スライダ部材を掴み、第１の封緘具及び第２の封緘具を含む前記ジッパー封緘具に対して前記スライダ部材を当接させるために前記ジッパー封緘具に対して軸方向に前記スライダ部材押し込むこと、
前記第１の封緘具を閉じ、前記第２の封緘具を永続的に閉じるために、前記スライダ部材を第１の向きに向かって側面的に移動すること、
を有する、
パッケージの使用方法。
【請求項１３】
軸方向に前記スライダ部材を押し込む前記ステップの前に、
前記第２の封緘具を閉じずに前記第１の封緘具のみを閉じるために、前記スライダ部材を前記第１の向きに側面的に移動することを更に有する、
請求項１２に記載のパッケージの使用方法。
【請求項１４】
前記第２の封緘具を閉じずに前記第１の封緘具のみを閉じるために、前記スライダ部材を前記第１の向きに側面的に移動する前記ステップの後、かつ、軸方向に前記スライダ部材を押し込む前記ステップの前に、
前記第１の封緘具を開けるために、前記第１の向きとは反対の第２の向きに向かって側面的に前記スライダ部材を移動することを更に有する、
請求項１３に記載のパッケージの使用方法。
【請求項１５】
柔軟パッケージとともに用いる封緘組み立て部品であって、
前記封緘組み立て部品は、ジッパー封緘具とスライダ部材を有し、
前記ジッパー封緘具は、
選択的に第１及び第２の噛み合い位置に咬合するように組み立てられ配置されている第１及び第２のジッパープロフィールを有し、
前記第１の噛み合い位置は、
咬合され選択的に分離されることができる第１及び第２のジッパープロフィールを含み
前記第２の噛み合い位置は、
咬合され分離されることができない第１及び第２のジッパープロフィールを含み、
前記スライダ部材は、
前記ジッパー封緘具の側面に沿ってスライドし、前記ジッパー封緘具を前記第１の噛み合い位置から前記第２の噛み合い位置へ移動する、
封緘組み立て部品。
【請求項１６】
前記第１のジッパープロフィールは、
複数の第１の封緘部材を含み、
前記第１の封緘部材のそれぞれは、
終端に足部の第１の対が形成され、足部の前記第１の対から離間された位置に足部の第２の対が形成された脚部を含み、
前記第２のジッパープロフィールは、
複数の第２の封緘部材を含み、
前記第２の封緘部材のそれぞれは、
終端に指部の第１の対が形成され、指部の前記第１の対から離間された位置に指部の第２の対が形成された腕部を含む、
請求項１５に記載の封緘組み立て部品。
【請求項１７】
前記複数の第１の封緘部材は、
少なくとも１つの第１の脚部と１つの第２の脚部を含み、
前記複数の第２の封緘部材は、
少なくとも１つの第１の腕部と１つの第２の腕部を含み、
前記第１の噛み合い位置は、
前記第１及び第２の腕部の間に位置する少なくとも前記第１の脚部を含み、
前記第１の脚部の足部の第１の対は、
前記第１の腕部の指部の第１の対及び前記第１の腕部の指部の第２の対と、前記第２の腕部の指部の第１の対及び前記第２の腕部の指部の第２の対との間に位置する、
請求項１６に記載の封緘組み立て部品。
【請求項１８】
前記複数の第１の封緘部材は、少なくとも第３の脚部を更に含み、
前記第１の噛み合い位置は、
前記第１及び第２の脚部の間に位置する前記第１の腕部と、
前記第２及び第３の脚部の間に位置する前記第２の腕部と、
を含み、
前記第１の腕部の指部の第１の対は、
前記第１の脚部の足部の第１の対及び第１の脚部の足部の第２の対と、前記第２の脚部の足部の第１の対及び第２の脚部の足部の第２の対との間に位置し、
前記第２の腕部の指部の第１の対は、
前記第２の脚部の足部の第１の対及び第２の脚部の足部の第２の対と、前記第３の脚部の足部の第１の対及び第３の脚部の足部の第２の対との間に位置する、
請求項１７に記載の封緘組み立て部品。
【請求項１９】
前記第２の噛み合い位置は、
前記第１及び第２の脚部の間に位置する前記第１の腕部と、
前記第２及び第３の脚部の間に位置する前記第２の腕部と、
を含み、
前記第１の腕部の指部の第２の対は、
前記第１の脚部の足部の第１の対及び前記第１の脚部の足部の第２の対と、前記第２の脚部の足部の第１の対及び前記第２の脚部の足部の第２の対との間に位置し、
前記第２の腕部の指部の第２の対は、
前記第２の脚部の足部の第１の対及び前記第２の脚部の足部の第２の対と、前記第３の脚部の足部の第１の対及び前記第３の脚部の足部の第２の対との間に位置し、
前記第２の脚部の足部の第２の対は、
前記第１の腕部の指部の第１の対及び前記第１の腕部の指部の第２の対と、前記第２の腕部の指部の第１の対及び前記第２の腕部の指部の第２の対との間に位置する、
請求項１８に記載の封緘組み立て部品。
【請求項２０】
前記第１の封緘部材の足部の第１及び第２の対のそれぞれは、楔形であり、
前記第２の封緘部材の指部の第１及び第２の対のそれぞれは、楔形である、
請求項１６に記載の封緘組み立て部品。
【請求項２１】
前記スライダ部材は、
前記ジッパー封緘具の上部に沿ってスライドする天井壁と、
前記ジッパー封緘具の側面に沿ってスライドする前記天井壁から延設される第１の側壁と、
前記ジッパー封緘具の側面に沿ってスライドする前記天井壁から延設される第２の側壁と、
を含み、
前記天井壁、第１の側壁及び第２の側壁は、
前記ジッパー封緘具を係入する空洞を画定し、
前記スライダ部材は、
前記天井壁、前記第１の側壁及び前記第２の側壁のうちの少なくとも１つに固定されたクリップを含み、
前記クリップは、
第１の位置から第２の位置に移動可能であり、
前記第１の位置は、
前記ジッパー封緘具から離れて位置する前記クリップを含み、
前記第２の位置は、
前記ジッパー封緘具に噛み合う前記クリップを含む、
請求項１６に記載の封緘組み立て部品。
【請求項２２】
前記ジッパー封緘具は、
前記スライダ部材が前記ジッパー封緘具に沿って第１の向きに向かって移動されるときに、前記第１の噛み合い位置に移動されるように組み立てられ配置されており、
前記ジッパー封緘具は、
前記スライダ部材が前記ジッパー封緘具に沿って第１の向きに向かって移動され、かつ、前記クリップが前記第２の位置にあるときに、前記第２の噛み合い位置に移動されるように組み立てられ配置されている、
請求項２１に記載の封緘組み立て部品。
【請求項２３】
前記スライダ部材は、
前記天井壁から延設されるスプリッタを更に含み、
前記スプリッタは、
前記スライダ部材がジッパー封緘具に沿って前記第１の向きとは反対の第２の向きに向かって移動されるとき、前記ジッパー封緘具を前記第１の噛み合い位置から分離された位置に分離するように組み立てられ配置されている、
請求項２２に記載の封緘組み立て部品。
【請求項２４】
前記クリップは、
第１の壁、前記第１の壁から延設される第１の脚部、及び前記第１の壁から延設される第２の脚部を含む、
請求項２３に記載の封緘組み立て部品。
【請求項２５】
前記クリップは、前記天井壁に固定されている、
請求項２４に記載の封緘組み立て部品。
【請求項２６】
前記天井壁に前記クリップを固定するために前記クリップの第１の壁と天井壁との間に可動ヒンジを更に有する、
請求項２５に記載の封緘組み立て部品。
【請求項２７】
前記クリップの前記第１の位置は、
前記空洞の外側に位置する前記第１及び第２の脚部と、
前記天井壁に対して角度をなしている前記クリップの第１の壁と、
を含み、
前記クリップの前記第２の位置は、
少なくとも一部が前記空洞の内側に位置し、前記第２の封緘具に対して当接される第１及び第２の脚部と、
前記クリップの第１の壁が、前記天井壁に当接している、
請求項２６に記載の封緘組み立て部品。
【請求項２８】
前記天井壁は、
開口部を形成し、
前記第１及び第２の脚部は、
前記クリップを前記第１の位置から前記第２の位置へ移動するために、前記開口部を貫通して移動可能である、
請求項２７に記載の封緘組み立て部品。
【請求項２９】
前記第１及び第２の側壁は、
ジッパー圧搾領域を決定する第１の幅を決定し、
前記第１の幅は、
前記第１及び第２の側壁が前記ジッパー封緘具を前記第１の噛み合い位置に移動させる大きさであり、
前記第１及び第２の側壁は、
ジッパー非圧搾領域を決定する第２の幅を決定し、
前記第２の幅は、
前記第１の幅より大きく、前記第１及び第２の側壁が前記ジッパー封緘具を前記第２の噛み合い位置に移動させない大きさである、
請求項２８に記載の封緘組み立て部品。
【請求項３０】
請求項１５に記載の封緘組み立て部品を有する柔軟パッケージであって、
前記柔軟パッケージは、
底部、内部空間、及び前記内部空間へのアクセスを提供する開口部を形成する包囲壁と、
前記開口部に位置する封緘組み立て部品と、
を有し、
前記封緘組み立て部品は、
選択的に第１及び第２の噛み合い位置に咬合するように組み立てられ配置されている第１及び第２のジッパープロフィールを有するジッパー封緘具を含み、
前記第１の噛み合い位置は、
咬合され選択的に分離されることができる前記第１及び第２のジッパープロフィールを含み、
前記第２の噛み合い位置は、
咬合され分離されることができない前記第１及び第２のジッパープロフィールを含み、
前記封緘組み立て部品は、
前記ジッパー封緘具を前記第１の噛み合い位置から前記第２の噛み合い位置に移動するために前記ジッパー封緘具の側面に沿ってスライドするスライダ部材を含む、
柔軟パッケージ。
【請求項３１】
請求項３０に記載のパッケージの使用方法であって、
前記パッケージは、
内部空間を画定する包囲壁、開口部、及び前記開口部に位置する封緘組み立て部品を含み、
前記封緘組み立て部品は、
ジッパー封緘具、及び前記ジッパー封緘具上にて操作可能なスライダ部材を含み、
前記方法は、
第１の噛み合い位置及び第２の噛み合い位置を含む前記ジッパー封緘具を有し、
前記方法は、
前記ジッパー封緘具を前記第１の噛み合い位置から前記第２の噛み合い位置に移動するために、前記スライダ部材を掴み、第１の向きに向かって側面的に前記スライダ部材を移動することを有する、
パッケージの使用方法。
【請求項３２】
第１の位置から第２の位置に移動可能なクリップを含む前記スライダ部材と、
前記ジッパー封緘具を前記第１の噛み合い位置から前記第２の噛み合い位置に移動するために、前記スライダ部材を第１の向きに向かって側面的に移動するステップの前に、
前記クリップを前記第１の位置から前記第２の位置に移動すること、
を更に有する、
請求項３１に記載のパッケージの使用方法。
【請求項３３】
前記クリップを前記第１の位置から前記第２の位置に移動する前記ステップの前に、
前記ジッパー封緘具を前記第１の噛み合い位置に移動するために、前記スライダ部材を第１の向きに向かって側面的に移動すること、
を更に有する、
請求項３２に記載のパッケージの使用方法。
【請求項３４】
前記クリップを前記第１の位置から前記第２の位置に移動する前記ステップの前に、
前記ジッパー封緘具を前記第１の噛み合い位置から分離するために、前記スライダ部材を第２の向きに向かって側面的に移動すること、
を更に有する、
請求項３３に記載のパッケージの使用方法。
【請求項３５】
ジッパー封緘具を有する再閉可能パッケージに用いるスライダ部材であって、
前記スライダ部材は、
天井壁と
前記天井壁から延設される第１の側壁と、
前記天井壁から延設される第２の側壁と、
前記天井壁、前記第１の側壁及び前記第２の側壁の少なくとも１つに固定され、作用外の第１の位置から、第２の位置に移動可能なクリップと、を有し、
前記第１及び第２の側壁は、ジッパー封緘具の外面上の突起帯部を受容する複数の溝部を有し
前記天井壁、前記第１の側壁及び前記第２の側壁は、ジッパー封緘具を係入する空洞を画定し、
前記第２の位置は、前記ジッパー封緘具に対し当接されるように操作される前記クリップを含む、
スライダ部材。
【請求項３６】
前記スライダ部材が前記ジッパー封緘具に沿ってスライドするとき、前記ジッパー封緘具を少なくとも部分的に分離するように組み立てられ配置された、前記天井壁から延設されるスプリッタをさらに含む
請求項３５に記載のスライダ部材。
【請求項３７】
前記クリップは、
第１の壁と、
第１の壁から延設される第１の脚部と、
第１の壁から延設される第２の脚部と、
を含み、
前記クリップの前記第１の位置は、
前記空洞の外側にある前記第１及び第２の脚部を含み、
前記クリップの前記第２の位置は、
少なくとも一部が前記空洞の内側にある前記第１及び第２の脚部を含む、
請求項３５に記載のスライダ部材。
【請求項３８】
前記天井壁は、
開口部を形成し、
前記第１及び第２の脚部は、
前記クリップが前記第１の位置から前記第２の位置に移動するとき、前記開口部を通って移動する
請求項３７に記載のスライダ部材
【請求項３９】
第１及び第２のジッパープロフィールと、第１の封緘具と、第２の封緘具とを有するジッパー封緘具であって、
前記第１及び第２のジッパープロフィールは、第１及び第２の封緘具を形成し、選択的に咬合するように組み立てられ配置されており、
前記第１の封緘具は、選択的に噛み合い分離されるように組み立てられ配置されており、
前記第２の封緘具は、選択的に噛み合い、噛み合った後は分離され得ないように組み立てられ配置されており、
前記第２の封緘具は、
前記第１のジッパープロフィールを含み、
前記第１のジッパープロフィールは、
先端に首部より幅の広い頭部が形成された首部を有する第１の封緘部材と、
先端に指部が形成された第１の腕部と、
先端に指部が形成された第２の腕部と、
を有し、
前記第１の封緘部材は前記第１及び第２の腕部の間に位置し、
前記第２の封緘具は、
前記第２のジッパープロフィールを含み、
前記第２のジッパープロフィールは、
先端に１対の鉤が付された第１の脚部と、
先端に１対の鉤が付された第２の脚部と、
を有し、
前記第２の封緘具は、噛み合い位置において、
前記第１の腕部と前記第１の封緘具の間に位置し、その対になった鉤が前記頭部及び前記第１の腕部の指部と噛み合う前記第１の脚部と、
前記第２の腕部と前記第１の封緘具の間に位置し、その対になった鉤が前記頭部及び前記第２の腕部の指部と噛み合う前記第２の脚部と、
を含み、
前記第１の封緘具は、
前記第１のジッパープロフィール上に形成された第１の鉤形プロフィール部材を含み、
前記第１の封緘具は、
前記第２のジッパープロフィール上に形成された第２の鉤形プロフィール部材を含み、
前記第１及び第２の鉤形プロフィール部材は、
選択的に噛み合い分離するように組み立てられ配置されている
ジッパー封緘具。
【請求項４０】
前記第１の封緘具は、
前記第２のジッパープロフィール上に形成された前記第１の鉤形プロフィール部材に隣接して、第１の封緘ポストを更に含み、
前記第１の鉤形プロフィール部材は、
前記第１及び第２の鉤形プロフィール部材が噛み合ったとき、前記第１の封緘ポストと前記第２の鉤形プロフィール部材との間の隙間に係入される、
請求項３９に記載のジッパー封緘具。
【請求項４１】
前記第１の封緘具は、
前記第１のジッパープロフィール上に形成された第１の鉤形プロフィール部材を含み、
前記第２のジッパープロフィール上に形成された第２の鉤形プロフィール部材を含み、
前記第１及び第２の鉤形プロフィール部材は、
選択的に噛み合い分離するように組み立てられ配置されており、
前記第１の封緘具は、
前記第２のジッパープロフィール上に形成された前記第１の鉤形プロフィール部材に隣接して、第１の封緘ポストを更に含み、
前記第１の鉤形プロフィール部材は、
前記第１及び第２の鉤形プロフィール部材が噛み合ったとき、前記第１の封緘ポストと前記第２の鉤形プロフィール部材との間の隙間に係入される、
請求項３９に記載のジッパー封緘具。
【発明の詳細な説明】
【技術分野】
【０００１】
本願は、米国を除くすべての指定国については、米国法人レイノルズコンシューマープロダクツインクを出願人として、米国のみについては、米国市民ポール アダム スプラグ、及びピータ ジョン ブーランジャーを出願人として、更に、２００５年１１月１日に出願された米国特許仮出願第６０／７３２，３７６号を基礎とする優先権を主張して、２００６年１０月３１日付ＰＣＴ国際特許出願として、出願されたものである。
【０００２】
本開示は、一般的には封緘具付きパッケージに関し、特に、開封表示付き再閉可能パッケージ及び開封表示付きパッケージを使用する方法に関する。
【背景技術】
【０００３】
再閉可能パッケージは便利である。なぜならば、内容物を保存し、収容するために閉じられ、また封をされ得るからである。再閉可能パッケージは、何度も繰り返し開閉され得ることから有利でもある。しかし、パッケージの内容物の安全性や完全性を維持することが望まれるようないくつかの適用においては、再閉可能パッケージは、繰り返し開閉されること、また容易に再度開けられないように閉じられる得ることが望まれる。
このようにして、パッケージは開封の証拠を残す。なぜならば、パッケージは、毀損されずに再開されることができないからである。
例えば、法的手続きにも使用できる証拠をパッケージに残すことが望まれる。このことは、パッケージの中に内容物を収容するために繰り返しパッケージを開閉すること、内容物がもはやアクセスされなくなった場合は、内側に収容された証拠が、パッケージを毀損することなくアクセスされる、すなわち改ざんされることを防止するようにパッケージを閉じることを要求する。同様に、パッケージを毀損することなく再開されることを防止するように閉じられるまでは繰り返し開閉できるパッケージに、現金や証券類を収容することが望まれる。セキュリティパッケージの他の適用例も存在する。
【発明の開示】
【発明が解決しようとする課題】
【０００４】
従って、繰り返し開閉できるが、容易には再開され得ないように閉じられるパッケージに対するニーズは存在する。
【課題を解決するための手段】
【０００５】
（要約）
ある実施形態においては、柔軟なパッケージとともに用いられる封緘組み立て部品が開示される。この封緘組み立て部品は、１つのジッパー封緘具を有しており、このジッパー封緘具は、選択的に咬合するように組み立てられ配置された第１及び第２のジッパープロフィールを有している。このジッパー封緘具は、第１及び第２のジッパープロフィールが形成された第１及び第２の封緘具を有している。封緘組み立て部品は、ジッパー封緘具の側面に沿ってスライドし、第１の軸位置から第２の軸位置へ軸上を移動し得るスライダ部材も含む。第１のジッパープロフィールが形成される第１の封緘具は、スライダ部材が第１の軸位置にあり、第１の向きに向かってジッパー封緘具の側面に沿って移動するときに噛み合うように組み立てられ配置されている。
第２のジッパープロフィールが形成される第２の封緘具は、スライダ部材が第２の軸位置にあり、第１の向きに向かってジッパー封緘具の側面に沿って移動するときに噛み合うように組み立てられ配置されている。そして、スライダ部材が、第１の軸位置にあるときは、第２の封緘具は噛み合わないように組み立てられ配置されている。
【０００６】
他の実施形態においては、選択的に咬合するように組み立てられ配置され、第１及び第２のの封緘具を形成するジッパー封緘具が開示されている。第１の封緘具は、選択的に噛み合い又は分離されるように組み立てられ配置されている。そして、第２の封緘具は、選択的に噛み合い一度噛み合うと分離され得ないように組み立てられ配置されている。
【０００７】
他の実施形態においては、底部、内部空間、及び内部空間へのアクセスを提供する開口部を形成する包囲壁を含む柔軟なパッケージが開示されている。柔軟なパッケージは、開口部に封緘組み立て部品も有する。封緘組み立て部品は１つのジッパー封緘具を含み、ジッパー封緘具は、選択的に咬合するように組み立てられ配置され、第１及び第２の封緘具を形成する第１及び第２のジッパープロフィールを有する。スライダ部材は、ジッパー封緘具の側面に沿ってスライドし、第１の軸位置から第２の軸位置へ軸上を移動し得る。
第１の封緘具は、スライダ部材が第１の軸位置にあり、第１の向きに向かってジッパー封緘具の側面に沿って移動するときに噛み合うように組み立てられ配置されている。
第２の封緘具は、スライダ部材が第２の軸位置にあり、第１の向きに向かってジッパー封緘具の側面に沿って移動するときに噛み合うように組み立てられ配置されている。そして、スライダ部材が、第１の軸位置にあるときは、第２の封緘具は噛み合わないように組み立てられ配置されている。
【０００８】
更に他の実施形態においては、パッケージの使用方法が開示されている。パッケージは、内部空間及び開口部を形成する包囲壁及び開口部に位置する封緘組み立て部品を含む。
封緘組み立て部品は、ジッパー封緘具及びジッパー封緘具上で操作されるスライダ部材を含む。
パッケージの使用方法には、スライダ部材を掴み、スライダ部材をジッパー封緘具に対して軸方向に押し込み、スライダ部材を、第１の封緘具及び第２の封緘具を含むジッパー封緘具に当接させることが含まれる。この方法には更に、第１の封緘具を閉じ第２の封緘具を永続的に閉じるために第１の向きに向かってスライダ部材を移動することも含まれる。
【０００９】
更に他の実施形態においては、柔軟なパッケージとともに使用される封緘組み立て部品が開示されている。封緘組み立て部品は１つのジッパー封緘具を有し、ジッパー封緘具は、第１及び第２の噛み合い位置に対して選択的に咬合するように組み立てられ配置された第１及び第２のジッパープロフィールを有する。
第１の噛み合い位置は、咬合されかつ選択的に分離され得る第１及び第２のジッパープロフィールを含む。第２の噛み合い位置は、咬合されかつ分離され得ない第１及び第２のジッパープロフィールを含む。スライダ部材は、第１の噛み合い位置から第２の噛み合い位置へジッパー封緘具を移動させるために、ジッパー封緘具の側面に沿ってスライドするように位置する。
【００１０】
他の実施形態においては、柔軟なパッケージが開示されている。柔軟なパッケージは、底部、内部空間及び内部空間へのアクセスを供給する開口部を形成する包囲壁を含む。柔軟なパッケージは、開口部に封緘組み立て部品も有する。封緘組み立て部品は１つのジッパー封緘具を含み、ジッパー封緘具は、選択的に第１及び第２のの噛み合い位置に対して咬合するように組み立てられ配置される第１及び第２のジッパープロフィールを有する。
第１の噛み合い位置は、咬合されかつ選択的に分離され得る第１及び第２のジッパープロフィールを含む。第２の噛み合い位置は、咬合されかつ分離され得ない第１及び第２のジッパープロフィールを含む。スライダ部材は、第１の噛み合い位置から第２の噛み合い位置へジッパー封緘具を移動させるために、ジッパー封緘具の側面に沿ってスライドするように位置する。
【００１１】
更に他の実施形態においては、パッケージの使用方法が開示されている。パッケージは、内部空間及び開口部を形成する包囲壁及び開口部に位置する封緘組み立て部品を含む。
封緘組み立て部品は、ジッパー封緘具及びジッパー封緘具上で操作されるスライダ部材を含む。そして、ジッパー封緘具は、第１の噛み合い位置及び第２の噛み合い位置を含む。パッケージの使用方法には、スライダ部材を掴み、ジッパー封緘具を第１の噛み合い位置から第２の噛み合い位置へ移動するために第１の向きに向かってスライダ部材を側面に沿って移動することを含む。
【００１２】
本発明の前記要約は、本発明の例示された各実施形態を説明するためのものではない。後記する図及び詳細説明がより詳細にこれらの実施形態を例示する。
【発明を実施するための最良の形態】
【００１３】
（詳細な説明）
本発明は、多様なパッケージアレンジメントに対して適用可能であると信じられている。本発明は、ポリマーパッケージのシールメカニズムに使用される際に特に効果があると考えられている。このようなパッケージアレンジメントに対する適用例の説明を通じて、本発明の多様な実施形態の評価が最もよく得られる。
【００１４】
（第１の実施形態）
図１は、パッケージ２０を示している。パッケージ２０は、典型的には柔軟なポリマーフィルムから作られる第１のパネル部２２とそれに対向する第２のパネル部（図２）を含む。いくつかの製造適用例においては、パッケージ２０の内側３０（図２）に３方が閉じられた収納部を形成するために、第１及び第２のパネル部は、折り線に沿って折り曲げられたうえで、エッジ２６、２８にてヒートシールされる。折り線は、底のエッジ３２となる。
代替的には、ポリマーフィルムの２つのパネル部２２，２４が、エッジ２６、２８及び底のエッジ３２においてヒートシールされる。パネル部２２，２４は、パッケージ内部３０を形成する包囲壁３４を有する。開口部３６を通じてパッケージ２０の内部３０へのアクセスがなされる。封緘組み立て部品３８は、開口部３６に隣接するパッケージ２０の一部である。
【００１５】
図２は、本開示に従って組み立てられた封緘組み立て部品３８の一例を示している。封緘組み立て部品３８は、スライダ部材４０及びジッパー封緘具４２を含む。図１には、開口部３６に沿って包囲壁３４に取り付けられた封緘組み立て部品３８が示されている。例えば、封緘組み立て部品３８は、包囲壁３４に対してヒートシールされ得る。他の取り付け方法も可能である。
【００１６】
ジッパー封緘具４２は、第１の封緘具４６及び第２の封緘具５０を形成する第１のジッパープロフィール４４及び第２のジッパープロフィール４８を含む。第１及び第２のジッパープロフィール４４、４８は、外面５１及び内面５３も形成する。第１の封緘具４６と第２の封緘具５０は選択的に咬合するように組み立てられ配置されている。第１の封緘具４６と第２の封緘具５０の多くの実施形態が使用可能である。第１の封緘具４６の１つの使用可能な実施形態は図２に示される再閉可能封緘具である。再閉可能封緘具とは、ジッパー操作によりそのようにすることを選択されとき、繰り返し噛み合わせられ、分離され得る封緘具のことである。
図２に示される実施形態において、第１の封緘具４６は、第１のジッパープロフィール４４上に第１の鉤形プロフィール部材２６０を含み、第２のジッパープロフィール４８上に第２の鉤形プロフィール部材２６２を含む。特にこの実施形態においては、第１及び第２の鉤形プロフィール部材２６０、２６２は、Ｊ字形の断面を有している。
図２に示される実施形態において、第１の封緘具４６は、第２のジッパープロフィール４８の第１の鉤形プロフィール部材２６０に隣接した位置に第１の封緘ポスト２６４を更に含む。隙間２６６が第１の封緘ポスト２６４と第２の鉤形プロフィール部材２６２との間に形成されている。隙間２６６は、第１及び第２の鉤形プロフィール部材２６０、２６２が噛み合うときに、第１の鉤形プロフィール部材を係入するように形状と配置が定められる。
【００１７】
第１及び第２の鉤形プロフィール部材２６０、２６２は、選択的に噛み合い分離するように組み立てられ配置されている。特に、第１及び第２の鉤形プロフィール部材２６０、２６２を咬合させるために第１の鉤形プロフィール部材２６０の端部２６８が、第２の鉤形プロフィール部材２６２の対向する端部２７０と噛み合う。
第１及び第２の鉤形プロフィール部材２６０、２６２を分離するには、第１の鉤形プロフィール部材２６０と第２の鉤形プロフィール部材２６２を変形しスライドさせて当接状態から外すのに十分な力が封緘具４６に対して分離方向に働かなければならない。後記するように、いくつかの実施形態においては、スライダ部材は部材２６０、２６２を分離するために用いられる。
【００１８】
第２の封緘具５０もまた、選択的に咬合するように組み立てられ配置されている。封緘具５０の多くの実施形態が使用可能である。ある使用可能な実施形態においては、封緘具５０は、第１及び第２のジッパープロフィール４４、４８に沿って第１の再閉可能な封緘具４６に近接している。
ある使用可能な実施形態においては、封緘具５０は、図２に示される実施形態に従って組み立てられる封緘具である。図２に示される実施形態においては、第２の封緘具５０は、噛み合わされた後は分離されない。
【００１９】
図２、３を参照すると、封緘具５０は、第１のジッパープロフィール４４と第２のジッパープロフィール４８を含む。第１のジッパープロフィール４４は、第１の封緘部材２２８を有する。第１の封緘部材２２８は、先端がより幅の広い頭部２３２となっている首部２３０、先端が指部２３６となっている第１の腕部２３４、及び先端が指部２４０となっている第２の腕部２３８を有する。第１の封緘部材２２８は、第１の腕部２３４と第２の腕部２３８と離間しているとともに、これらの間に位置する。第２のジッパープロフィール４８は、先端が一組の鉤部２４４、２４６となっている第１の脚部２４２、第１の脚部２４２からは距離をおいて位置し、その先端に一組の鉤部２５０、２５２を有する第２の脚部２４８を含む。
第２の封緘具５０が図４に示すように噛み合った位置にあるとき、第２の封緘具５０は、（i）第１の腕部２３４と第１の封緘部材２２８の間に位置する第１の脚部２４２、（ii）頭部２３２と第１の腕部の指部２３６にそれぞれ噛み合う、第１の脚部の対になった鉤部２４４、２４６、（iii）第２の腕部２３８と第１の封緘部材２２８の間に位置する第２の脚部２４８、及び（iv）頭部２３２と第２の腕部の指部２４０にそれぞれ噛み合う、第２の脚部の対になった鉤部２５０、２５２を含む。
【００２０】
封緘組み立て部品３８は、スライダ部材４０を含む。スライダ部材４０は、外面５１を通じて１つ又はそれ以上の第１及び第２の封緘具４６、５０を選択的に圧締するように組み立てられている。スライダ部材４０は、図２の方向Ａ、方向Ｂに示されたように、ジッパー封緘具４２の側面に沿ってスライドする。
図２に示される実施形態においては、スライダ部材４０は、図２の方向Ｃ、方向Ｄに示されたように、第１の軸位置から第２の軸位置へ移動する。スライダ部材４０の多くの実施形態が使用可能である。スライダ部材４０のある使用可能な実施形態の斜視図が図５に示されている。図５に示された実施形態においては、スライダ部材４０は、天井壁９６、天井壁９６から延設される第１の側壁９８、及び天井壁９６から延設される第２の側壁１００を含む。天井壁９６は、外面１０４と内面１０６を含む。内面１０６は図６で明示される。
図５に示されるスライダ部材４０の実施形態においては、スライダ部材４０の第１の側壁９８の端部２００は足部２０２となっており、第２の側壁１００の端部２０４は脚部２０６となっている。
【００２１】
天井壁９６、第１の側壁９８及び第２の側壁１００により、ジッパー封緘具４２を係入する空洞１０２が画策される。スライダ部材４０の第１及び第２の側壁９８、１００は、ジッパー圧締面１２４間の幅１２２を決定する。
【００２２】
スライダ部材４０は、第１の軸位置と第２の軸位置の間を移動し得る。図２に示された実施形態においては、ジッパー封緘具４２は、第１のジッパープロフィール４４に第１の外側溝部２０８が、第２のジッパープロフィール４８に第２の外側溝部２１０が形成されている。第１及び第２の外側溝部２０８、２１０は、第１の封緘具４６と第２の封緘具５０の間に位置する。
図２、３に示されるようにスライダ部材４０が第１の軸位置にあるとき、第１の側壁の足部２０２は、第１の溝部２０８に収まっており、第２の側壁の足部２０６は、第２の溝部２１０に係合しており、ジッパー圧締面１２４は、第１の封緘具４６に対して圧締力を及ぼしている。
【００２３】
示されている実施形態においては、ジッパー封緘具４２は、第１のジッパープロフィール４４上の第１の外付け突起部２１２及び第２のジッパープロフィール４８上の第２の外付け突起部２１４（図２〜４）も含む。第２の封緘具５０は、第１及び第２の外付け突起部２１２、２１４と第１の封緘具４６との間に位置する。
図４に示されるように、スライダ部材４０が第２の軸位置にあるとき、第１の突起部２１２は第１の側壁の足部２０２と第２の封緘具５０の間にあり、第２の突起部２１４は第２の側壁の足部２０６と第２の封緘具５０の間にある。
【００２４】
ある実施形態においては、スライダ部材４０は、鋤部すなわちスプリッタ１２０を含む。スライダ部材４０がジッパー封緘具４２に沿って図２のＢの方向にスライドするとき、ジッパー封緘具４２を少なくとも部分的に分離するように、スプリッタ１２０は組み立てられている。
スプリッタ１２０のある実施形態が図６に示されている。示されているスプリッタ１２０は、天井壁９６の内面１０６から延設されており、一般的には楔形をしている。スプリッタ１２０は、内面１０６からスプリッタ１２０が突き出た距離として定義されるスプリッタの深さ１２１によって特徴付けられる。スライダ部材４０が第１の軸位置にあるとき、スプリッタ１２０が第１及び第２のジッパープロフィール４４、４８の内面５３には当接するが、第１及び第２の封緘具４６、５０には当接しないように、スプリッタの深さ１２１は決定される。
内面５３に対して分離する方向の力を及ぼしながらスライダ部材４０がジッパー封緘具４２の側面に沿って第１の向きとは反対の第２の向きにスライドするとき、第１の封緘具４６を分離するように、スプリッタ１２０は組み立てられ配置されている。第２の封緘具５０が閉じられている場合、第１及び第２のジッパープロフィール４４、４８は十分な硬さを有しないので、スライダ部材４０が第２の向きに向かってジッパー封緘具４２に沿って移動するとき内面５３に対する分離力が第２の封緘具５０を分離することはない。
【００２５】
使用時、スライダ部材４０が第１の軸位置にあるとき、スライダ部材４０のジッパー圧締面１２４（図５）は、ジッパー封緘具４２の外面５１（図２）と噛み合い、第１の封緘具４６の近傍で外面５１に沿ってスライド可能なように配置される。スライダ部材４０がジッパー封緘具４２の側面に沿って図２の方向Ａに向かってスライドするとき、ジッパー圧締面１２４は、一般的に外面５１に沿ってジッパー封緘具４２に当接し、第１の封緘具４６に対して絞り込む力すなわち圧締力を及ぼす。この力が第１及び第２のの鉤形プロフィール部材２６０、２６２を咬合させる。
【００２６】
ユーザは、スライダ部材４０が第１の軸位置にある間はスライダ部材４０を掴み、それをＢの方向にジッパー封緘具４２の側面に沿ってスライドさせることによって、第１の封緘具４６を第１の噛み合い位置から分離することができる。スプリッタ１２０は、第１及び第２のジッパープロフィール４６、５０に対し、第１の封緘具４６を分離するのに充分な分離力を及ぼす。代替的にユーザは、封緘組み立て部品３８を掴んで分離方向に充分な力を手動で及ぼしてもかまわない。
【００２７】
スライダ部材４０が第２の軸位置にあり、図２に示されるようにジッパー封緘具４２上を方向Ｄに向かって移動するとき、スライダ部材４０のジッパー圧締面１２４は、ジッパー封緘具４２の外面５１と噛み合い、第１の封緘具４６と第２の封緘具５０の両者の近傍で外面５１に沿ってスライド可能なように配置される。図２のＡの方向にスライダ部材４０がジッパー封緘具４２の側面に沿ってスライドするとき、ジッパー圧締面１２４は、ジッパー封緘具４２と当接し、第１の封緘具４６及び第２の封緘具５０に対して圧縮する力すなわち圧締力を及ぼす。その結果、第１及び第２の鉤形プロフィール部材２６０、２６２が噛み合うように第１の封緘具４６を噛み合わせ、第２の封緘具５０も噛み合せる。
示された実施形態において、第２の封緘具５０が噛み合っているとき、（i）第１の脚部２４２は、第１の腕部２３４と第１の封緘部材２２８の間に位置し、（ii）第１の脚部２４２の対になった鉤部２４４、２４６は、頭部２３２と第１の腕部の指部２３６にそれぞれ噛み合い、（iii）第２の脚部２４８は、第２の腕部２３８と第１の封緘部材２２８の間に位置し、及び（iv）第２の脚部２４８の対になった鉤部２５０、２５２は、頭部２３２と第２の腕部の指部２４０にそれぞれ噛み合う。
このようにして第１及び第２の封緘具４６、５０が噛み合った後、ジッパー封緘具４２から取り外され廃棄され得るようにスライダ部材の形状が決められる。一度第２の封緘具５０が噛み合うと、第２の封緘具は容易には分離され得ない。
【００２８】
（第２の実施形態）
封緘組み立て部品３８の多くの他の実施形態が使用可能である。１つの使用可能な実施形態が、図７、８に示されている。図７、８に示される実施形態においては、ジッパー封緘具４２は、第１のジッパープロフィール４４と第２のジッパープロフィール４８を含む。これらは、第１の封緘具４６と第２の封緘具５０を形成する。第１の封緘具４６と第２の封緘具５０は、選択的に交合するように組み立てられ配置されている。第１の封緘具４６は、ジッパー封緘具４２の第１の噛み合い位置において形成されている。第２の封緘具５０は、ジッパー封緘具４２の第２の噛み合い位置において形成されている。
図７に示される封緘具４６の実施形態は、再閉可能な封緘具である。再閉可能とは、封緘具４６はジッパーの操作によりそのように選択された時は、繰り返し噛み合わされ分離され得ることを意味する。第１及び第２のジッパープロフィール４４、４８は、外面５１を含む。
図７、図８において示される実施形態においては、第１のジッパープロフィール４４は、複数の第１の封緘部材４００を含む。第１の封緘部材４００のそれぞれは、１つの脚部４０２を含み、その脚部４０２の終端から足部の第１の対４０４、４０６が延設され、その脚部４０２の足部の第１の対４０４、４０６から離間した位置に足部の第２の対４０８、４１０が付されている。
図９に示されるように、第２のジッパープロフィール４８は、複数の第２の封緘部材４１４を含む。第２の封緘部材４１４のそれぞれは、１つの腕部４１６を含み、その腕部４１６の終端から指部の第１の対４１８、４２０が延設され、その腕部４１６の指部の第１の対４１８、４２０から離れた部分に指部の第２の対４２２、４２４が付されている。一般的には、足部の第２の対４０８、４１０と指部の第２の対４２２、４２４は、足部の第１の対４０４、４０６と指部の第１の対４１８、４２０よりも剛性が大きい。
【００２９】
ある実施形態においては、第１の封緘部材の足部の第１及び第２の対４０４、４０６のそれぞれは矢の形をしており、第２の封緘部材の指部の第１及び第２の対４１８、４２０のそれぞれも矢の形をしている。いくつかの実施形態においては、第１及び第２の封緘部材４００、４１４のそれぞれは、潤滑剤を含む物質を含む。例えば、第１及び第２の封緘部材４００、４１４は、表面潤滑性を供給するために、製造後およそ２時間から２４時間の間表面に塗られる油脂を含む物質を含んでもよい。
【００３０】
図１０、１１に示される封緘組み立て部品３８の実施形態において、複数の第１の封緘部材４００は、少なくとも第１の脚部４０２ａを含み、更には、足部４０４ａ、４０６ａ、４０８ａ、４１０ａ及び第２の脚部４０２ｂを含み、更には、足部４０４ｂ、４０６ｂ、４０８ｂ、４１０ｂを含む。複数の第２の封緘部材４１４は、少なくとも第１の腕部４１６ａを含み、更には、指部４１８ａ、４２０ａ、４２２ａ、４２４ａ及び第２の腕部４１６ｂを含み、更には、指部４１８ｂ、４２０ｂ、４２２ｂ、４２４ｂを含む。
この実施形態においては、第１の噛み合い位置（図１０）は、
（i）第１及び第２の腕部４１６ａ、４１６ｂの間に位置する第１の脚部４０２ａのような少なくとも１つの第１の封緘部材４００、
（ii）第１の腕部の第１の指部４１８ａと第１の腕部の第２の指部４２２ａの間に位置する第２の脚部の第１の足部４０６ｂ、
（iii）第１の腕部の第１の指部４２０ａと第１の腕部の第２の指部４２４ａの間に位置する第１の脚部の第１の足部４０４ａ、及び
（iv）第２の腕部の第１の指部４１８ｂと第２の腕部の第２の指部４２２ｂの間に位置する第１の脚部の第２の足部４０６ａを含む。
この実施形態においては、第１の噛み合い位置（図１１）は、
（i）第１及び第２の腕部４１６ａ、４１６ｂの間に位置する第１の脚部４０２ａのような少なくとも１つの第１の封緘部材４００、
（ii）第１の腕部の第１の指部４１８ａと第１の腕部の第２の指部４２２ａの間に位置する第２の脚部の第２の足部４１０ｂ、
（iii）第１の腕部の第１の指部４２０ａと第１の腕部の第２の指部４２４ａの間に位置する第１の脚部の第２の足部４０８ａ、及び
（iv）第２の腕部の第１の指部４１８ｂと第２の腕部の第２の指部４２２ｂの間に位置する第１の脚部の第２の足部４１０ａを含む。
【００３１】
図１２、１３に示される他の実施形態において、複数の第１の封緘部材は、更には少なくとも第３の脚部４０２ｃを含み、更には、第１の足部４０４ｃ、４０６ｃ、及び第２の足部４０８ｃ、４１０ｃを含む。
この実施形態においては、第１の噛み合い位置（図１２）は、
（i）第１及び第２の腕部４１６ａ、４１６ｂの間に位置する第１の脚部４０２ａのような少なくとも１つの第１の封緘部材４００、
（ii）第１及び第３の脚部４０２ａ、４０２ｃの間に位置する第２の腕部４１６ｂのような少なくとも１つの第２の封緘部材４１４、
（iii）第１の腕部の第１の指部４１８ａと第１の腕部の第２の指部４２２ａの間に位置する第２の脚部の第１の足部４０６ｂ、
（iv）第１の腕部の第１の指部４２０ａと第１の腕部の第２の指部４２４ａの間に位置する第１の脚部の第１の足部４０４ａ、
（v）第２の腕部の第１の指部４１８ｂと第２の腕部の第２の指部４２２ｂの間に位置する第１の脚部の第２の足部４０６ａ、及び
（vi）第２の腕部の第１の指部４２０ｂと第２の腕部の第２の指部４２４ｂの間に位置する第３の脚部の第１の足部４０４ｃを含む。
この実施形態においては、第２の噛み合い位置（図１３）は、
（i）第１及び第２の腕部４１６ａ、４１６ｂの間に位置する第１の脚部４０２ａのような少なくとも１つの第１の封緘部材４００、
（ii）第１及び第３の脚部４０２ａ、４０２ｃの間に位置する第２の腕部４１６ｂのような少なくとも１つの第２の封緘部材４１４、
（iii）第１の腕部の第１の指部４１８ａと第１の腕部の第２の指部４２２ａの間に位置する第２の脚部の第２の足部４１０ｂ、
（iv）第１の腕部の第１の指部４２０ａと第１の腕部の第２の指部４２４ａの間に位置する第１の脚部の第２の足部４０８ａ、
（v）第２の腕部の第１の指部４１８ｂと第２の腕部の第２の指部４２２ｂの間に位置する第１の脚部の第２の足部４１０ａ、及び
（vi）第２の腕部の第１の指部４２０ｂと第２の腕部の第２の指部４２４ｂの間に位置する第３の脚部の第２の足部４０８ｃを含む。
【００３２】
封緘組み立て部品３８は、スライダ部材４０を含む。スライダ部材４０は、第１及び第２の封緘具４６、５０のうちの１つ又はそれ以上を、外面５１を通じて選択的に圧締するように組み立てられている。
図１４の方向Ａ及び方向Ｂによって示されるように、スライダ部材４０は、ジッパー封緘具４２の側面に沿ってスライドする位置にある。図１５には、スライダ部材４０の使用可能な実施形態の斜視図が示されている。図１５に示されている実施形態においては、スライダ部材４０は、天井壁９６、天井壁９６から延設される第１の側壁９８、天井壁９６から延設される第２の側壁１００を含む。天井壁９６は、外面１０４及び内面１０６を含む。図１５に示されるスライダ４０の実施形態においては、スライダ部材４０の第１の側壁９８は、足部２０２の付された端部２００を形成し、第２の側壁１００は、足部２０６の付された端部２０４を形成する。
【００３３】
天井壁９６、第１の側壁９８及び第２の側壁１００により、ジッパー封緘具４２を係入する空洞１０２が画定される。スライダ４０の第１及び第２の側壁９８、１００は、ジッパー圧締面１２４間の幅を決定する第１の幅１２２を画定する。第１及び第２の側壁９８、１００がジッパー封緘具４２の少なくとも一部を圧締するように、第１の幅１２２が決められる。
【００３４】
第１の噛み合い位置及び第２の噛み合い位置を実現するための多くの使用可能な実施形態が存在する。図７、１４に示されている実施形態においては、図１０、１２に示されるように、封緘組み立て部品３８を掴み、ジッパー封緘具が第１の噛み合い位置に入るのに充分な圧締力を手動で及ぼすことにより、ユーザは第１の噛み合い位置を実現する。第１の噛み合い位置に入るためには、第１の足部４０６ｂと第１の指部４１８ｂ、第１の足部４０４ａと第１の指部４２０ａ、及び第１の足部４０６ａと第１の指部４１８ｂのそれぞれが変形した上で相互に乗り越えるようにスライドしなければならない。
典型的には、ジッパー封緘具４２を第１の噛み合い位置に入れるのに必要な力は、ジッパー封緘具４２を第２の噛み合い位置に入れるためには不充分である。なぜならば、足部の第１の対４０４、４０６及び指部の第１の対４１８、４２０は、足部の第２の対４０８、４１０及び指部の第２の対４２２、４２４ほどには剛性が大きくないからである。
【００３５】
ユーザは、封緘組み立て部品３８を掴み分離方向に向かって充分な力を手動で及ぼすことによって第１の封緘具４６を分離し得る。
【００３６】
ジッパー封緘具４２の側面に沿ってスライダ４０をスライドすることによって、第２の噛み合い位置が実現される。スライダ４０のジッパー圧締面１２４は、ジッパー封緘具４２を第２の噛み合い位置に入れるための圧締力をジッパー封緘具の外面５１に対して及ぼす。
図１２、１３に示される実施形態においては、第２の噛み合い位置に入るためには以下の条件を満たす必要がある。
（i）第２の足部４１０ｂ及び第１の指部４１８ａが変形し、相互に乗り越えるようにスライドしなければならない。
（ii）第１の足部４０６ｂ及び第２の指部４２２ａが変形し、相互に乗り越えるようにスライドしなければならない。
（iii）第２の足部４０８ａ及び第１の指部４２０ａが変形し、相互に乗り越えるようにスライドしなければならない。
（iv）第１の足部４０４ａ及び第２の指部４２４ａが変形し、相互に乗り越えるようにスライドしなければならない。
（v）第１の足部４０６ａ及び第２の指部４２２ｂが変形し、相互に乗り越えるようにスライドしなければならない。
（vi）第１の足部４０４ｃ及び第２の指部４２４ｂが変形し、相互に乗り越えるようにスライドしなければならない。
（vii）第２の足部４１０ｂ及び第１の指部４１８aが変形し、相互に乗り越えるようにスライドしなければならない。
（viii）第２の足部４０８ａ及び第１の指部４２０ａが変形し、相互に乗り越えるようにスライドしなければならない。
（ix）第２の足部４１０ａ及び第１の指部４１８ｂが変形し、相互に乗り越えるようにスライドしなければならない。
（x）第２の足部４０８ｃ及び第１の指部４２０ｂが変形し、相互に乗り越えるようにスライドしなければならない。
足部の第２の対４０８、４１０及び指部の第２の対４２２、４２４は、比較的剛性が大きいので、一度ジッパー封緘具４２が第２の噛み合い位置に入ると、ジッパー封緘具４２は容易には分離され得ない。加えて、一度ジッパー封緘具４２が第２の噛み合い位置に入ると、スライダ４０は封緘組み立て部品３８から取り外され得る。
【００３７】
（第３の実施形態）
封緘具３８の他の多くの使用可能な実施形態が存在する。１つの使用可能な実施形態が図１６〜１８に示されている。図１６〜１８に示される実施形態において、ジッパー封緘具４２は、第１のジッパープロフィール４４と第２のジッパープロフィール４８を含む。これらは第１の封緘具４６と第２の封緘具５０を形成する。第１の封緘具４６と第２の封緘具５０は、選択的に咬合するように組み立てられ配置されている。
第１の封緘具４６は、ジッパー封緘具４２の第１の噛み合い位置によって形成され、第２の封緘具５０は、ジッパー封緘具４２の第２の噛み合い位置によって形成される。ある実施形態においては、第１の封緘具４６は、再閉可能な封緘具であり、第２の封緘具５０は、一度噛み合うと容易には分離され得ない封緘具である。再閉可能な封緘具とは、ジッパー操作の選択によって繰り返し噛み合い分離されることが可能な封緘具である。第１及び第２のジッパープロフィール４４、４８は、外面５１、内面５３及び複数の突起帯部５５を形成する。
【００３８】
図１８、図１９に示される実施形態において、第１のジッパープロフィール４４は複数の第１の封緘部材３００を含む。
第１の封緘部材３００のそれぞれは、１つの脚部３０２を含み、その脚部３０２の終端から足部の第１の対３０４、３０６が延設され、その脚部３０２の足部の第１の対３０４、３０６から離れた部分に足部の第２の対３０８、３１０が付されている。
図２０を参照すると、第２のジッパープロフィール４８は、複数の第２の封緘部材３１４を含む。第２の封緘部材３１４のそれぞれは、１つの腕部３１６を含み、その腕部３１６の終端から指部の第１の対３１８、３２０が延設され、その腕部３１６の指部の第１の対３１８、３２０から離れた部分に指部の第２の対３２２、３２４が付されている。一般的に、足部の第２の対３０８、３１０と指部の第２の対３２２、３２４は、足部の第１の対３０４、４０６と指部の第１の対３１８、３２０よりも剛性が大きい。好ましくは、突起帯部５５のそれぞれは、内面５３に付された各足部３０２又は各腕部３１６を裏打ちする外面５１上の位置に配置される。
【００３９】
ある実施形態においては、第１の封緘部材の足部の第１及び第２の対３０４、３０６のそれぞれは矢の形をしており、第２の封緘部材の指部の第１及び第２の対３１８、３２０のそれぞれも矢の形をしている。いくつかの実施形態においては、第１及び第２の封緘部材３００、３１４のそれぞれは、潤滑剤を含む物質を含む。例えば、第１及び第２の封緘部材３００、３１４は、表面潤滑性を供給するために、製造後およそ２時間から２４時間までに表面に塗られる油脂を含む物質を含んでもよい。
【００４０】
図２１、２２に示される封緘組み立て部品３８の実施形態において、複数の第１の封緘部材３００は、少なくとも第１の脚部３０２ａを含み、更には、足部３０４ａ、３０６ａ、３０８ａ、３１０ａ及び第２の脚部３０２ｂを含み、更には、足部３０４ｂ、３０６ｂ、３０８ｂ、３１０ｂを含む。複数の第２の封緘部材３１４は、少なくとも第１の腕部３１６ａを含み、更には、指部３１８ａ、３２０ａ、３２２ａ、３２４ａ及び第２の腕部３１６ｂを含み、更には、指部３１８ｂ、３２０ｂ、３２２ｂ、３２４ｂを含む。
この実施形態においては、第１の噛み合い位置（図２１）は、
（i）第１及び第２の腕部３１６ａ、３１６ｂの間に位置する第１の脚部３０２ａのような少なくとも１つの第１の封緘部材３００、
（ii）第１の腕部の第１の指部３１８ａと第１の腕部の第２の指部３２２ａの間に位置する第２の脚部の第１の足部３０６ｂ、
（iii）第１の腕部の第１の指部３２０ａと第１の腕部の第２の指部３２４ａの間に位置する第１の脚部の第１の足部３０４ａ、及び
（iv）第２の腕部の第１の指部３１８ｂと第２の腕部の第２の指部３２２ｂの間に位置する第１の脚部の第２の足部３０６ａを含む。
この実施形態においては、第２の噛み合い位置（図２２）は、
（i）第１及び第２の腕部３１６ａ、３１６ｂの間に位置する第１の脚部３０２ａのような少なくとも１つの第１の封緘部材３００、
（ii）第１の腕部の第１の指部３１８ａと第１の腕部の第２の指部３２２ａの間に位置する第２の脚部の第２の足部３１０ｂ、
（iii）第１の腕部の第１の指部３２０ａと第１の腕部の第２の指部３２４ａの間に位置する第１の脚部の第２の足部３０８ａ、及び
（iv）第２の腕部の第１の指部３１８ｂと第２の腕部の第２の指部３２２ｂの間に位置する第１の脚部の第２の足部３１０ａを含む。
【００４１】
図２３、２４に示される他の実施形態において、複数の第１の封緘部材は、更には少なくとも第３の脚部３０２ｃを含み、更には、第１の足部３０４ｃ、３０６ｃ、及び第２の足部３０８ｃ、３１０ｃを含む。
この実施形態においては、第１の噛み合い位置（図２３）は、
（i）第１及び第２の腕部３１６ａ、３１６ｂの間に位置する第１の脚部３０２ａのような少なくとも１つの第１の封緘部材３００、
（ii）第１及び第３の脚部３０２ａ、３０２ｃの間に位置する第２の腕部３１６ｂのような少なくとも１つの第２の封緘部材３１４、
（iii）第１の腕部の第１の指部４１８ａと第１の腕部の第２の指部３２２ａの間に位置する第２の脚部の第１の足部３０６ｂ、
（iv）第１の腕部の第１の指部３２０ａと第１の腕部の第２の指部３２４ａの間に位置する第１の脚部の第１の足部３０４ａ、
（v）第２の腕部の第１の指部３１８ｂと第２の腕部の第２の指部３２２ｂの間に位置する第１の脚部の第２の足部３０６ａ、及び
（vi）第２の腕部の第１の指部３２０ｂと第２の腕部の第２の指部３２４ｂの間に位置する第３の脚部の第１の足部３０４ｃを含む。
この実施形態においては、第２の噛み合い位置（図２４）は、
（i）第１及び第２の腕部３１６ａ、３１６ｂの間に位置する第１の脚部３０２ａのような少なくとも１つの第１の封緘部材３００、
（ii）第１及び第３の脚部３０２ａ、３０２ｃの間に位置する第２の腕部３１６ｂのような少なくとも１つの第２の封緘部材３１４、
（iii）第１の腕部の第１の指部３１８ａと第１の腕部の第２の指部３２２ａの間に位置する第２の脚部の第２の足部３１０ｂ、
（iv）第１の腕部の第１の指部３２０ａと第１の腕部の第２の指部３２４ａの間に位置する第１の脚部の第２の足部３０８ａ、
（v）第２の腕部の第１の指部３１８ｂと第２の腕部の第２の指部３２２ｂの間に位置する第１の脚部の第２の足部３１０ａ、及び
（vi）第２の腕部の第１の指部３２０ｂと第２の腕部の第２の指部３２４ｂの間に位置する第３の脚部の第２の足部３０８ｃを含む。
【００４２】
封緘組み立て部品３８は、スライダ部材４０を含む。スライダ部材４０は、第１及び第２の封緘具４６、５０のうちの１つ又はそれ以上を、外面５１を通じて選択的に圧締するように組み立てられている。図１７の方向Ａ及び方向Ｂによって示されるように、スライダ部材４０は、ジッパー封緘具４２の側面に沿ってスライドする位置にある。図２５には、スライダ部材４０の使用可能な実施形態の斜視図が示されている。
図２５に示されている実施形態においては、スライダ部材４０は、封緘組み立て部品３８の上部に沿ってスライドする位置にある天井壁９６、天井壁９６に付属し、封緘組み立て部品３８の側面に沿ってスライドする位置にある第１の側壁９８、及び、天井壁９６に付属し、ジッパー封緘具４２の側面に沿って図１７の方向Ａ及びＢの向きにスライドする位置にある第２の側壁１００を含む。天井壁９６、第１の側壁９８及び第２の１００により、ジッパー封緘具４２を係入する空洞１０２が画定される。スライダ部材４０は、天井壁９６の少なくとも一部に固定されているクリップ１０８、及び第２の側壁１００を更に含む。
クリップ１０８は、図１７に示されている方向Ｃ及び方向Ｄの方向に向かって、第１の位置から第２の位置に移動可能である。第１の位置は、クリップ１０８がジッパー封緘具４２から離れている状態を含む。第２の位置は、クリップ１０８がジッパー封緘具４２と噛み合っている状態を含む。
【００４３】
クリップ１０８の多くの実施形態が可能である。図２５に、クリップ１０８の１つの実施形態の斜視図が示されている。図２５に示された実施形態において、クリップ１０８は、第１の壁１１０、第１の壁１１０から延設される第１の脚部１１２、及び第１の壁１１０から延設される第２の脚部１１４を含む。図２５にて示される実施形態は、天井壁９６固定されたクリップ１０８を示している。スライダ部材４０の天井壁９６をクリップの第１の壁１００に固定する可動ヒンジ１１６がこの実施形態には示されている。
【００４４】
示されている実施形態において、スライダ部材４０の天井壁９６は、天井壁９６を貫通する開口部１１８を含む。スライダ部材４０の第１及び第２の脚部１１２、１１４が空洞１０２の中に入り込むように開口部１１８の大きさが決められる。スライダ部材４０の第１の側壁９８は、クリップ１０８の第１の脚部１１２を受容する第１の溝部１３４を形成する。スライダ部材４０の第２の側壁１００は、クリップ１０８の第２の脚部１１４を受容する第２の溝部１３６を形成する。
【００４５】
クリップ１０８は、図２５に示される第１の位置から、図２６に示される第２の位置に移動可能である。第１の位置では、クリップ１０８は作用外である。第２の位置では、クリップ１０８は、ジッパー封緘具４２と噛み合う位置にある。図２５に示される実施形態において、クリップ１０８の第１の位置では、第１及び第２の脚部１１２、１１４は、開口部１１８の外側にあり、クリップの第１の壁１１０は、天井壁９６に対してある角度をなしている。
クリップ１０８が第２の位置にあるとき、第１及び第２の脚部１１２、１１４は、少なくとも一部が空洞１０２の中に入り込み、第２の封緘具に当接され、クリップの第１の壁１１０は、天井壁９６に当接する。特に示された実施形態においては、第１及び第２の脚部１１２、１１４は、実質的に全体が空洞１０２の中に入り込んでおり、クリップの第１の壁１１０は、天井壁９６に当接している。天井壁９６の開口部１１８を貫通してクリップ１０８を移動することによってクリップ１０８は第２の位置に運ばれる。
【００４６】
ある実施形態においては、スライダ４０の第１及び第２の壁９８、１００は、複数の第１のジッパー圧締領域１２７を形成する複数の溝部１２７を形成する。第１のジッパー圧締領域１２７は、スライダ４０がジッパー封緘具４２に沿ってスライドし、第１及び第２のジッパープロフィール４４、４８を第１の噛み合い位置に入れるときに突起帯部５５に対して充分な圧力を及ぼすようにサイズが決められる。
さらに、クリップ１０８の第１及び第２の側壁１１２、１１４は、第２のジッパー圧締領域１２９を決定する第２の幅１２３を決定する。スライダ４０がジッパー封緘具４２に沿ってスライドし、第１及び第２のジッパープロフィール４４、４８を第２の噛み合い位置に入れるとき、突起帯部５５に対し充分な力を及ぼすように第２のジッパー圧締領域１２９のサイズが決められる。
【００４７】
ある実施形態においては、スライダ部材４０は、鋤すなわちスプリッタ１２０を含む。スライダ部材４０がジッパー封緘具４２に沿ってスライドするとき、ジッパー封緘具４２の少なくとも一部を分離するようにスプリッタ１２０が組み立てられ配置されている。
図２７に、スプリッタ１２０の１つの実施形態が示されている。示されているスプリッタ１２０は、天井壁９６の内面１０６から延設されており、一般的には楔形をしている。スプリッタ１２０は、スプリッタ１２０が内面１０６から突起した距離であるスプリッタの深さ１２１によって特徴付けられる。スプリッタ１２０が第１の又は第２の封緘４６、５０に当接しないように、スプリッタの深さは決められる。
スライダ部材４０が第１の向きとは反対の第２の向きにジッパー封緘具４２の側面に沿って移動するとき、図１７の方向Ｂに向かって内面５３に対して分離方向に力を及ぼすことによって第１の封緘具４６を分離するように、スプリッタ１２０は組み立てられ配置されている。スライダ部材４０が第２の向きに向かってジッパー封緘具４２に沿って移動するとき、第２の封緘５０に対して充分な分離力を及ぼさないようにスプリッタ１２０の形状が決められる。
【００４８】
使用時、ユーザは、クリップ１０８を第１の位置に維持してスライダ４０を掴み、第１の向きＡに向かってジッパー封緘具４２の側面に沿ってスライダ部材４０をスライドすることにより、第１の噛み合い位置を実現する。すると、スライダ４０の側壁９８、１００上の溝部１２５から第１及び第２のジッパープロフィールの突起帯部５５に対して圧締力が作用する。この圧締力は、第１の封緘具４６を第１の噛み合い位置に入れるのに充分である。
第１の噛み合い位置に入るためには、第１の足部３０６ｂと第１の指部３１８ｂ、第１の足部３０４ａと第１の指部３２０ａ、及び第１の足部３０６ａと第１の指部３１８ｂのそれぞれが変形した上で相互に乗り越えるようにスライドしなければならない。
典型的には、ジッパー封緘具４２を第１の噛み合い位置に入れるのに必要な力は、ジッパー封緘具４２を第２の噛み合い位置に入れるためには不充分である。なぜならば、足部の第１の対３０４、３０６及び指部の第１の対３１８、３２０は、足部の第２の対３０８、３１０及び指部の第２の対３２２、３２４ほどには剛性が大きくないからである。
【００４９】
ユーザは、クリップ１０８を第１の位置に維持したままスライダ４０を掴み、ジッパー封緘具４２の側面に沿って方向Ｂに向かってスライダ４０をスライドすることにより。第１の封緘具４６を第１の噛み合い位置から分離し得る。スプリッタ１２０は、第１の封緘具４６を分離するのに充分な分離力を、第１及び第２のジッパープロフィール４６、５０の内面５３に対して及ぼす。代替的にユーザは、封緘組み立て部品３８を掴み、分離方向に充分な力を手動で及ぼすことによって第１の封緘具４６を分離し得る。
【００５０】
第２の噛み合い位置は、クリップ１０８を掴み、開口部１１８を通じ、第１及び第２の溝部１３４、１３６の内側の第２の位置にクリップ１０８を落とし込むことによって実現される。ユーザは、このとき、スライダ４０を掴み、第１の向きＡ又は第２の向きＢの何れかに向かって、ジッパー封緘具４２の側面に沿ってスライダ４０をスライドする。このことが、クリップ１０８の第２の圧締領域１２９から第１及び第２のジッパープロフィール４４、４８の突起帯部５５に対する圧締力を発生させる。この圧締力は、第１の封緘具４６が第１の噛み合い位置に入り込み、第２の封緘具５０が第２の噛み合い位置に入り込むために充分である。
図２３、２４に示される実施形態においては、第２の噛み合い位置に入るためには以下の条件を満たす必要がある。
（i）第２の足部３１０ｂ及び第１の指部３１８ａが変形し、相互に乗り越えるようにスライドしなければならない。
（ii）第１の足部３０６ｂ及び第２の指部３２２ａが変形し、相互に乗り越えるようにスライドしなければならない。
（iii）第２の足部３０８ａ及び第１の指部３２０ａが変形し、相互に乗り越えるようにスライドしなければならない。
（iv）第１の足部３０４ａ及び第２の指部３２４ａが変形し、相互に乗り越えるようにスライドしなければならない。
（v）第１の足部３０６ａ及び第２の指部３２２ｂが変形し、相互に乗り越えるようにスライドしなければならない。
（vi）第１の足部３０４ｃ及び第２の指部３２４ｂが変形し、相互に乗り越えるようにスライドしなければならない。
（vii）第２の足部３１０ｂ及び第１の指部３１８aが変形し、相互に乗り越えるようにスライドしなければならない。
（viii）第２の足部３０８ａ及び第１の指部３２０ａが変形し、相互に乗り越えるようにスライドしなければならない。
（ix）第２の足部３１０ａ及び第１の指部３１８ｂが変形し、相互に乗り越えるようにスライドしなければならない。
（x）第２の足部３０８ｃ及び第１の指部３２０ｂが変形し、相互に乗り越えるようにスライドしなければならない。
足部の第２の対３０８、３１０及び指部の第２の対３２２、３２４は、比較的剛性が大きいので、一度ジッパー封緘具４２が第２の噛み合い位置に入ると、ジッパー封緘具４２は容易には分離され得ない。加えて、一度ジッパー封緘具４２が第２の噛み合い位置に入ると、スライダ４０は封緘組み立て部品３８から取り外され得る。
【００５１】
（第４の実施形態）
他の実施形態において、パッケージ２０を使用する方法が開示されている。図１を参照すると、パッケージ２０は、内部空間３０を形成する包囲壁３４、開口部３６、及び開口部３６に位置する封緘組み立て部品３８を含む。封緘組み立て部品３８は、ジッパー封緘具４２、及びジッパー封緘具４２上に操作可能に取り付けられたスライダ部材４０を含む。ジッパー封緘具４２は、第１の封緘具４６及び第２の封緘具５０を形成する第１のジッパープロフィール４４及び第２のジッパープロフィール４８を含む。第１及び第２の封緘具４６、５０は、選択的に咬合するように組み立てられ配置されている。ある実施形態においては、第２の封緘具５０は、噛み合った後は分離され得ない。
【００５２】
ある実施形態においては、この方法は、スライダ部材４０を掴み、スライダ部材４０を図２の方向Ｄに向かってジッパー封緘具４２に対して軸方向に押し込み、ジッパー封緘具４２に対してスライダ部材４０を噛み合わせるステップを含む。この方法では、ジッパー封緘具４２は、第１の封緘具４６及び第２の封緘具５０を含む。
図２に示される実施形態において、スライダ部材は足部２０２が付された端部２００及び足部２０６が付された端部２０４を含む。さらに、ジッパー封緘具は、第１及び第２の外付け突起部２１２、２１４を含む。スライダ部材４０をジッパー封緘具４２に対して軸方向に押し込むと、足部２０２、２０６は、突起部２１２、２１４を乗り越えて移動する。
この方法は、第１の封緘具４６を閉じ、かつ、第２の封緘具５０を永続的に閉じるために第１の向きに向かって側面的にスライダ部材４０を移動するステップをさらに含む。スライダ部材４０は、スライダ部材４０がジッパー封緘具４２に沿ってスライドするとき第１及び第２のジッパープロフィール４４、４８の両者に対して圧締力を及ぼすジッパー圧締領域１２４を有する。この圧締力は、第２の封緘具５０を噛み合わせるのに充分である。第２の封緘具５０は、ある実施形態においては、一度噛み合った後は分離され得ない。
【００５３】
この方法の他の実施形態において、スライダ部材４０をジッパー封緘具に対して軸方向に押し込むステップの前に、この方法は、図２の方向Ａのように第１の向きに向かって側面的にスライダ部材４０を移動して、第１の封緘具４６のみを閉じ、第２の封緘具５０は閉じずにおくステップを含む。
図２に示される実施形態において、スライダ部材４０をジッパー封緘具に対して軸方向に押し込む前に、スライダ４０の足部２０２、２０６は、第１及び第２のジッパープロフィール４４、４８に沿った溝部２０８、２１０の中に入り込んでいる。スライダ部材４０がこの位置にあるとき、ジッパー圧締領域１２４は、第１の封緘具４６の近傍にあるが、第２の封緘具５０の近傍にはない。スライダ部材４０が第１の向きに向かって側面的に移動するとき、圧締力は第１の封緘具４６に対してのみ及び、第１の封緘具４６のみを閉じ、第２の封緘具５０を閉じることはない。
【００５４】
この方法の更なる実施形態において、第１の封緘具４６のみを閉じ第２の封緘具５０を閉じないでおくためにスライダ部材４０を側面的に第１の向きに移動するステップの後かつ、スライダ部材４０を軸方向に押し込む前に、スライダ部材４０は第１の封緘具４６を開けるために、図２の方向Ｂのように、第１の向きとは反対の第２の向きに向かって側面的に移動される。
ある実施形態においては、スライダ４０は、第１及び第２のジッパープロフィール４４、４８の内面５３に当接するように配置された楔形スプリッタ１２０を含む。スライダ４０が図２の方向Ｂのような方向に移動されるとき、スプリッタ１２０は内面５３に対して分離力を及ぼし、第１の封緘具４６を分離させる。
【００５５】
（第５の実施形態）
他の実施形態において、パッケージ２０を使用する方法が開示されている。図１６を参照すると、パッケージ２０は、内部空間３０を形成する包囲壁３４、開口部３６、及び開口部３６に位置する封緘組み立て部品３８を含む。封緘組み立て部品３８は、ジッパー封緘具４２、及びジッパー封緘具４２上を操作可能なスライダ部材４０を含む。ジッパー封緘具は、第１の封緘具４６及び第２の封緘具５０を形成する第１のジッパープロフィール４４及び第２のジッパープロフィール４８を含む。第１の封緘具４６及び第２の封緘具５０は、選択的に咬合するように組み立てられ配置されている。ジッパー封緘具４２は、第１の噛み合い位置及び第２の噛み合い位置を含む。第１の封緘具４６は、ジッパー封緘具４２の第１の噛み合い位置によって形成され、第２の封緘具５０は、ジッパー封緘具４２の第２の噛み合い位置によって形成される。
ある実施形態においては、第１の封緘具４６は、再閉可能な封緘具であり、第２の封緘具５０は、一度噛み合うと容易には分離され得ない封緘具である。スライダ部材４０は、図２５示されるジッパー圧締領域１２７のようなジッパー圧締領域を含む。スライダ部材４０は、第１の位置から第２の位置に移動可能なクリップ１０８も含む。
図２５に示される実施形態において、クリップ１０８は、１組の脚部１１２、１１４を有する。この１組の脚部１１２、１１４はそれらの間にジッパー圧締領域１２４を決定する。図１６に示される実施形態において、クリップ１０８が第１の位置にあるとき、クリップ１０８はジッパー封緘具４２に当接していない。図２６に示される実施形態において、クリップ１０８が第２の位置にあるとき、脚部１１２、１１４は、ジッパー圧締領域１２４がジッパー封緘具４２に当接しないように配置される。
【００５６】
この方法は、クリップ１０８を第２の位置に維持し、ジッパー封緘具を第１の噛み合い位置に維持したままスライダ部材４０を掴み、スライダ部材４０を図１７の方向Ａのような第１の向きに向かって移動し、第１の噛み合い位置から第２の噛み合い位置にジッパー封緘具４２を移動するステップを含む。スライダ部材４０が第１の向きに向かって移動するとき、クリップ１０８のジッパー圧締面１２４は、第１及び第２のジッパープロフィール４４、４８に対して圧締力を及ぼし、その結果、ジッパー封緘具４２は、第１の噛み合い位置から第２の噛み合い位置に入り込む。ジッパー圧締面１２７によって及ぼされる圧締力は、ジッパー封緘具４２を第２の噛み合い位置に入れるのに充分である。
【００５７】
この方法の他の実施形態において、スライダ部材４０を図１７の方向Ａのような第１の向きに向かって側面的に移動し、ジッパー封緘具４２を第１の噛み合い位置から第２の噛み合い位置に移動するステップの前に、この方法は、クリップ１０８を第１の位置から第２の位置に移動するステップを含む。
【００５８】
この方法の他の実施形態において、クリップ１０８を第１の位置から第２の位置に移動するステップの前に、この方法は、スライダ部材４０を図１７の方向Ａのような第１の向きに向かって側面的に移動し、ジッパー封緘具４２を第１の噛み合い位置に移動するステップを含む。クリップ１０８が第１の位置にあり、かつスライダ部材４０が第１の向きに側面的に移動するとき、スライダ４０のジッパー圧締面１２７は、ジッパー封緘具４２に対して圧締力を及ぼし、その結果、ジッパー封緘具４２は第１の噛み合い位置に入り込む。しかしながら、面１２７によって及ぼされる圧締力は、ジッパー封緘具を第２の噛み合い位置に入り込ませるには不充分である。
【００５９】
更に他の実施形態において、クリップ１０８を第１の位置から第２の位置に移動するステップの前に、この方法は、スライダ部材４０を図１７の方向Ｂのような第２の向きに側面的に移動し、ジッパー封緘具４２を第１の噛み合い位置から分離するステップを含む。
ある実施形態においては、スライダ４０は、第１及び第２のジッパープロフィール４４、４８の内面５３に当接するように配置されている楔形のスプリッタ１２０を含む。スライダ部材４０が図１７の方向Ｂのような方向に向かって移動するとき、スプリッタ１２０は、内面５３に対して分離力を及ぼし、第１の封緘具４６が分離される。
【図面の簡単な説明】
【００６０】
【図１】ジッパー封緘具とスライダ部材を含む封緘組み立て部品を有するパッケージの斜視図である。
【図２】図１に示された封緘組み立て部品の斜視図である。
【図３】スライダ部材が第１の軸位置にある、図１に示されたジッパー封緘具の断面図である。
【図４】スライダ部材が第２の軸位置にある、図１に示されたジッパー封緘具の断面図である。
【図５】図１に示されたスライダ部材の斜視図である。
【図６】図１に示されたスライダ部材の代替的な斜視図である。
【図７】ジッパー封緘具の代替的実施形態の断面図である。
【図８】図７に示されたジッパー封緘具の第１のジッパープロフィールの断面図である。
【図９】図７に示されたジッパー封緘具の第２のジッパープロフィールの断面図である。
【図１０】第１の噛み合い位置にある、図７に示されたジッパー封緘具の代替的な実施形態の断面図である。
【図１１】第２の噛み合い位置にある、図７に示されたジッパー封緘具の代替的な実施形態の断面図である。
【図１２】第１の噛み合い位置にある、図７に示されたジッパー封緘具の断面図である。
【図１３】第２の噛み合い位置にある、図７に示されたジッパー封緘具の断面図である。
【図１４】図７に示された封緘組み立て部品の斜視図である。
【図１５】図１４に示されたジッパー封緘具のスライダ部材の斜視図である。
【図１６】封緘組み立て部品の代替的な実施形態を有するパッケージの斜視図である。
【図１７】図１６に示された封緘組み立て部品の斜視図である。
【図１８】図１６に示されたジッパー封緘具の断面図である。
【図１９】図１８に示されたジッパー封緘具の第１のジッパープロフィールの断面図である。
【図２０】図１８に示されたジッパー封緘具の第２のジッパープロフィールの断面図である。
【図２１】第１の噛み合い位置にある、図１８に示されたジッパー封緘具の代替的な実施形態の断面図である。
【図２２】第２の噛み合い位置にある、図１８に示されたジッパー封緘具の代替的な実施形態の断面図である。
【図２３】第１の噛み合い位置にある、図１８に示されたジッパー封緘具の断面図である。
【図２４】第２の噛み合い位置にある、図１８に示されたジッパー封緘具の断面図である。
【図２５】クリップが作用外の第１の位置にある、図１６に示されたスライダの斜視図である。
【図２６】クリップが作用する第２の位置にある、図１６に示されたスライダの斜視図である。
【図２７】図１６に示されたスライダの代替的な斜視図である。
【図１】
2009513309.tif 000003
【図２】
2009513309.tif 000004
【図３】
2009513309.tif 000005
【図４】
2009513309.tif 000006
【図５】
2009513309.tif 000007
【図６】
2009513309.tif 000008
【図７】
2009513309.tif 000009
【図８】
2009513309.tif 000010
【図９】
2009513309.tif 000011
【図１０】
2009513309.tif 000012
【図１１】
2009513309.tif 000013
【図１２】
2009513309.tif 000014
【図１３】
2009513309.tif 000015
【図１４】
2009513309.tif 000016
【図１５】
2009513309.tif 000017
【図１６】
2009513309.tif 000018
【図１７】
2009513309.tif 000019
【図１８】
2009513309.tif 000020
【図１９】
2009513309.tif 000021
【図２０】
2009513309.tif 000022
【図２１】
2009513309.tif 000023
【図２２】
2009513309.tif 000024
【図２３】
2009513309.tif 000025
【図２４】
2009513309.tif 000026
【図２５】
2009513309.tif 000027
【図２６】
2009513309.tif 000028
【図２７】
2009513309.tif 000029
【手続補正書】
【提出日】平成20年7月11日(2008.7.11)
【手続補正１】
【補正対象書類名】特許請求の範囲
【補正対象項目名】全文
【補正方法】変更
【補正の内容】
【特許請求の範囲】
【請求項１】
柔軟パッケージとともに用いる封緘組み立て部品であって、
前記封緘組み立て部品は、ジッパー封緘具とスライダ部材を有し、
前記ジッパー封緘具は、
選択的に咬合するように組み立てられ配置されている第１及び第２のジッパープロフィールを有し、
前記第１及び第２のジッパープロフィールにより形成される第１及び第２の封緘具を含み、
前記スライダ部材は、
前記ジッパー封緘具の側面に沿ってスライドし、
第１の軸位置から第２の軸位置に直交的に移動可能であり、
前記第１の封緘具は、
前記スライダ部材が前記第１の軸位置にあり、かつ前記ジッパー封緘具の側面に沿って第１の向きに向かって移動されるときに噛み合うように組み立てられ配置されており、
前記第２の封緘具は、
前記スライダ部材が前記第２の軸位置にあり、かつ前記ジッパー封緘具の側面に沿って第１の向きに向かって移動されるときに噛み合うように組み立てられ配置されており、
前記スライダ部材が前記第１の軸位置にあるときには噛み合わないように組み立てられ配置されている、
封緘組み立て部品。
【請求項２】
前記スライダ部材は、
前記ジッパー封緘具の上部に沿ってスライドする天井壁と、
前記ジッパー封緘具の側面に沿ってスライドする前記天井壁から延設される第１の側壁と、
前記ジッパー封緘具の側面に沿ってスライドする前記天井壁から延設される第２の側壁と、
を含み、
前記天井壁、第１の側壁及び第２の側壁は、
前記ジッパー封緘具を係入する空洞を画定する、
請求項１に記載の封緘組み立て部品。
【請求項３】
前記第２の封緘具は、
噛み合わされた後分離されることができない、
請求項１に記載の封緘組み立て部品。
【請求項４】
前記第２の封緘具は、
前記第１のジッパープロフィールと、前記第２のジッパープロフィールを含み、
更に、噛み合い位置において、
前記第１の腕部と前記第１の封緘具の間に位置し、１対の鉤が前記頭部及び前記第１の腕部の指部と噛み合う第１の脚部と、
前記第２の腕部と前記第１の封緘具の間に位置し、１対の鉤が前記頭部及び前記第２の腕部の指部と噛み合う第２の脚部と
を含み、
前記第１のジッパープロフィールは、
先端に首部より幅の広い頭部が形成された首部を有する第１の封緘部材と、
先端に指部が形成された第１の腕部と、
先端に指部が形成された第２の腕部と、
を有し、
前記第２のジッパープロフィールは
先端に１対の鉤が形成された第１の脚部と、
先端に１対の鉤が形成された第２の脚部と、
を有し、
前記第１の封緘部材は、
前記第１及び第２の腕部の間に位置している、
請求項３に記載の封緘組み立て部品。
【請求項５】
請求項１に記載の封緘組み立て部品を有する柔軟パッケージであって、
前記柔軟パッケージは、
底部、内部空間、及び前記内部空間へのアクセスを提供する開口部を形成する包囲壁と、
前記開口部に位置する封緘組み立て部品と、
を有し、
前記封緘組み立て部品は、
選択的に咬合するように組み立てられ配置された第１及び第２のジッパープロフィールを有し、前記第１及び第２のジッパープロフィールによって形成される第１及び第２の封緘具を含むジッパー封緘具と、
前記ジッパー封緘具の側面に沿ってスライドし、第１の軸位置から第２の軸位置に直交的に移動できるスライダ部材と、
を含み、
前記第１の封緘具は、
前記スライダ部材が前記第１の軸位置にあり、かつ、第１の向きに向かって前記ジッパー封緘具の側面に沿って移動するときに噛み合うように組み立てられ配置されており、
前記第２の封緘具は、
前記スライダ部材が前記第２の軸位置にあり、かつ、前記第１の向きに向かって前記ジッパー封緘具の側面に沿って移動するときに噛み合うように、前記スライダ部材が前記第１の軸位置にあるときには噛み合わないように組み立てられ配置されている、
柔軟パッケージ。
【請求項６】
請求項５に記載のパッケージの使用方法であって、
前記パッケージは、
内部空間を画定する包囲壁、開口部、及び前記開口部に位置する封緘組み立て部品を含み、
前記封緘組み立て部品は、
ジッパー封緘具、及び前記ジッパー封緘具上にて操作可能なスライダ部材を含み、
前記方法は、
スライダ部材を掴み、第１の封緘具及び第２の封緘具を含む前記ジッパー封緘具に対して前記スライダ部材を当接させるために前記ジッパー封緘具に対して軸方向に前記スライダ部材押し込むこと、
前記第１の封緘具を閉じ、前記第２の封緘具を永続的に閉じるために、前記スライダ部材を第１の向きに向かって側面的に移動すること、
を有する、
パッケージの使用方法。
【請求項７】
軸方向に前記スライダ部材を押し込む前記ステップの前に、
前記第２の封緘具を閉じずに前記第１の封緘具のみを閉じるために、前記スライダ部材を前記第１の向きに側面的に移動することを更に有する、
請求項６に記載のパッケージの使用方法。
【請求項８】
柔軟パッケージとともに用いる封緘組み立て部品であって、
前記封緘組み立て部品は、ジッパー封緘具とスライダ部材を有し、
前記ジッパー封緘具は、
選択的に第１及び第２の噛み合い位置に咬合するように組み立てられ配置されている第１及び第２のジッパープロフィールを有し、
前記第１の噛み合い位置は、
咬合され選択的に分離されることができる第１及び第２のジッパープロフィールを含み
前記第２の噛み合い位置は、
咬合され分離されることができない第１及び第２のジッパープロフィールを含み、
前記スライダ部材は、
前記ジッパー封緘具の側面に沿ってスライドし、前記ジッパー封緘具を前記第１の噛み合い位置から前記第２の噛み合い位置へ移動する、
封緘組み立て部品。
【請求項９】
前記第１のジッパープロフィールは、
複数の第１の封緘部材を含み、
前記第１の封緘部材のそれぞれは、
終端に足部の第１の対が形成され、足部の前記第１の対から離間された位置に足部の第２の対が形成された脚部を含み、
前記第２のジッパープロフィールは、
複数の第２の封緘部材を含み、
前記第２の封緘部材のそれぞれは、
終端に指部の第１の対が形成され、指部の前記第１の対から離間された位置に指部の第２の対が形成された腕部を含む、
請求項８に記載の封緘組み立て部品。
【請求項１０】
前記スライダ部材は、
前記ジッパー封緘具の上部に沿ってスライドする天井壁と、
前記ジッパー封緘具の側面に沿ってスライドする前記天井壁から延設される第１の側壁と、
前記ジッパー封緘具の側面に沿ってスライドする前記天井壁から延設される第２の側壁と、
を含み、
前記天井壁、第１の側壁及び第２の側壁は、
前記ジッパー封緘具を係入する空洞を画定し、
前記スライダ部材は、
前記天井壁、前記第１の側壁及び前記第２の側壁のうちの少なくとも１つに固定されたクリップを含み、
前記クリップは、
第１の位置から第２の位置に移動可能であり、
前記第１の位置は、
前記ジッパー封緘具から離れて位置する前記クリップを含み、
前記第２の位置は、
前記ジッパー封緘具に噛み合う前記クリップを含む、
請求項９に記載の封緘組み立て部品。
【請求項１１】
前記ジッパー封緘具は、
前記スライダ部材が前記ジッパー封緘具に沿って第１の向きに向かって移動されるときに、前記第１の噛み合い位置に移動されるように組み立てられ配置されており、
前記ジッパー封緘具は、
前記スライダ部材が前記ジッパー封緘具に沿って第１の向きに向かって移動され、かつ、前記クリップが前記第２の位置にあるときに、前記第２の噛み合い位置に移動されるように組み立てられ配置されている、
請求項１０に記載の封緘組み立て部品。
【請求項１２】
前記スライダ部材は、
前記天井壁から延設されるスプリッタを更に含み、
前記スプリッタは、
前記スライダ部材がジッパー封緘具に沿って前記第１の向きとは反対の第２の向きに向かって移動されるとき、前記ジッパー封緘具を前記第１の噛み合い位置から分離された位置に分離するように組み立てられ配置されており、
前記クリップは、
第１の壁、前記第１の壁から延設される第１の脚部、及び前記第１の壁から延設される第２の脚部を含み、
前記クリップは、前記天井壁に固定されており、
前記クリップの前記第１の位置は、
前記空洞の外側に位置する前記第１及び第２の脚部と、
前記天井壁に対して角度をなしている前記クリップの第１の壁と、
を含み、
前記クリップの前記第２の位置は、
少なくとも一部が前記空洞の内側に位置し、前記第２の封緘具に対して当接される第１及び第２の脚部と、
前記天井壁に当接している前記クリップの第１の壁と、
を含む、
請求項１１に記載の封緘組み立て部品。
【請求項１３】
請求項８に記載の封緘組み立て部品を有する柔軟パッケージであって、
前記柔軟パッケージは、
底部、内部空間、及び前記内部空間へのアクセスを提供する開口部を形成する包囲壁と、
前記開口部に位置する封緘組み立て部品と、
を有し、
前記封緘組み立て部品は、
選択的に第１及び第２の噛み合い位置に咬合するように組み立てられ配置されている第１及び第２のジッパープロフィールを有するジッパー封緘具を含み、
前記第１の噛み合い位置は、
咬合され選択的に分離されることができる前記第１及び第２のジッパープロフィールを含み、
前記第２の噛み合い位置は、
咬合され分離されることができない前記第１及び第２のジッパープロフィールを含み、
前記封緘組み立て部品は、
前記ジッパー封緘具を前記第１の噛み合い位置から前記第２の噛み合い位置に移動するために前記ジッパー封緘具の側面に沿ってスライドするスライダ部材を含む、
柔軟パッケージ。
【請求項１４】
請求項１３に記載のパッケージの使用方法であって、
前記パッケージは、
内部空間を画定する包囲壁、開口部、及び前記開口部に位置する封緘組み立て部品を含み、
前記封緘組み立て部品は、
ジッパー封緘具、及び前記ジッパー封緘具上にて操作可能なスライダ部材を含み、
前記方法は、
第１の噛み合い位置及び第２の噛み合い位置を含む前記ジッパー封緘具を有し、
前記方法は、
前記スライダ部材を掴み、前記ジッパー封緘具を前記第１の噛み合い位置から前記第２の噛み合い位置に移動する第１の向きに、側面的に前記スライダ部材を移動することを有する、
パッケージの使用方法。
【請求項１５】
第１の位置から第２の位置に移動可能なクリップを含む前記スライダ部材と、
前記ジッパー封緘具を前記第１の噛み合い位置から前記第２の噛み合い位置に移動する第１の向きに前記スライダ部材を側面的に移動するステップの前に、
前記クリップを前記第１の位置から前記第２の位置に移動すること、
を更に有する、
請求項１４に記載のパッケージの使用方法。
【請求項１６】
ジッパー封緘具を有する再閉可能パッケージに用いるスライダ部材であって、
前記スライダ部材は、
天井壁と
前記天井壁から延設される第１の側壁と、
前記天井壁から延設される第２の側壁と、
前記天井壁、前記第１の側壁及び前記第２の側壁の少なくとも１つに固定され、作用外の第１の位置から、第２の位置に移動可能なクリップと、を有し、
前記第１及び第２の側壁は、ジッパー封緘具の外面上の突起帯部を受容する複数の溝部を有し
前記天井壁、前記第１の側壁及び前記第２の側壁は、ジッパー封緘具を係入する空洞を画定し、
前記第２の位置は、前記ジッパー封緘具に対し当接されるように操作される前記クリップを含む、
スライダ部材。
【請求項１７】
前記スライダ部材が前記ジッパー封緘具に沿ってスライドするとき、前記ジッパー封緘具を少なくとも部分的に分離するように組み立てられ配置された、前記天井壁から延設されるスプリッタをさらに含み、
前記クリップは、
第１の壁と、第１の壁から延設される第１の脚部と、第１の壁から延設される第２の脚部と、を含み、
前記クリップの前記第１の位置は、
前記空洞の外側にある前記第１及び第２の脚部を含み、
前記クリップの前記第２の位置は、
少なくとも一部が前記空洞の内側にある前記第１及び第２の脚部を含む、
ことを特徴とする請求項１６に記載のスライダ部材。
【請求項１８】
前記天井壁は、
開口部を形成し、
前記第１及び第２の脚部は、
前記クリップが前記第１の位置から前記第２の位置に移動するとき、前記開口部を通って移動する
請求項１７に記載のスライダ部材
【請求項１９】
第１及び第２のジッパープロフィールと、第１の封緘具と、第２の封緘具とを有するジッパー封緘具であって、
前記第１及び第２のジッパープロフィールは、第１及び第２の封緘具を形成し、選択的に咬合するように組み立てられ配置されており、
前記第１の封緘具は、選択的に噛み合い分離されるように組み立てられ配置されており、
前記第２の封緘具は、選択的に噛み合い、噛み合った後は分離され得ないように組み立てられ配置されており、
前記第２の封緘具は、
前記第１のジッパープロフィールを含み、
前記第１のジッパープロフィールは、
先端に首部より幅の広い頭部が形成された首部を有する第１の封緘部材と、
先端に指部が形成された第１の腕部と、
先端に指部が形成された第２の腕部と、
を有し、
前記第１の封緘部材は前記第１及び第２の腕部の間に位置し、
前記第２の封緘具は、
前記第２のジッパープロフィールを含み、
前記第２のジッパープロフィールは、
先端に１対の鉤が付された第１の脚部と、
先端に１対の鉤が付された第２の脚部と、
を有し、
前記第２の封緘具は、噛み合い位置において、
前記第１の腕部と前記第１の封緘具の間に位置し、その対になった鉤が前記頭部及び前記第１の腕部の指部と噛み合う前記第１の脚部と、
前記第２の腕部と前記第１の封緘具の間に位置し、その対になった鉤が前記頭部及び前記第２の腕部の指部と噛み合う前記第２の脚部と、
を含み、
前記第１の封緘具は、
前記第１のジッパープロフィール上に形成された第１の鉤形プロフィール部材を含み、
前記第１の封緘具は、
前記第２のジッパープロフィール上に形成された第２の鉤形プロフィール部材を含み、
前記第１及び第２の鉤形プロフィール部材は、
選択的に噛み合い分離するように組み立てられ配置されている
ジッパー封緘具。
【請求項２０】
前記第１の封緘具は、
前記第２のジッパープロフィール上に形成された前記第１の鉤形プロフィール部材に隣接して、第１の封緘ポストを更に含み、
前記第１の鉤形プロフィール部材は、
前記第１及び第２の鉤形プロフィール部材が噛み合ったとき、前記第１の封緘ポストと前記第２の鉤形プロフィール部材との間の隙間に係入され、
前記第１の封緘具は、
前記第１のジッパープロフィール上に形成された第１の鉤形プロフィール部材を含み、
前記第２のジッパープロフィール上に形成された第２の鉤形プロフィール部材を含み、
前記第１及び第２の鉤形プロフィール部材は、
選択的に噛み合い分離するように組み立てられ配置されており、
前記第１の封緘具は、
前記第２のジッパープロフィール上に形成された前記第１の鉤形プロフィール部材に隣接して、第１の封緘ポストを更に含み、
前記第１の鉤形プロフィール部材は、
前記第１及び第２の鉤形プロフィール部材が噛み合ったとき、前記第１の封緘ポストと前記第２の鉤形プロフィール部材との間の隙間に係入される、
請求項１９に記載のジッパー封緘具。
【国際調査報告】
2009513309.tif 000030
2009513309.tif 000031
2009513309.tif 000032